(57)【要約】【課題】  コンパクトディスクを出し入れしやすく、構造が簡単で、環境問題に配慮したオーディオブック用コンパクトディスクホルダの提供。【解決手段】  紙を素材とする底板１０、中間層２０及び表層３０を備えてオーディオブックの表紙又はページ部となり、中間層２０にコンパクトディスク４０よりも径大の収納槽２１を形成し、収納槽２１の周縁に窪み部２２を連設し、表層３０の収納槽２１及び窪み部２２と対応する位置に開口部３１を穿設し、開口部３１の窪み部２２と逆側の周縁に、収納槽２１の上方を面積の１／２〜１／４に亘って覆う支持片３２を設ける。【選択図】          図２
0003103110.tif 000002
【実用新案登録請求の範囲】
【請求項１】
複数の紙片を積層すると共に、その一側縁を固定して成るオーディオブックの表紙又はページ部を構成するコンパクトディスクホルダにおいて、それぞれ紙を素材とする底板、中間層及び表層を備え、前記中間層はコンパクトディスクよりもやや厚く形成されて前記底板の表面に重合され、該中間層にコンパクトディスクよりもやや径大の収納槽を形成すると共に、該収納槽の周縁にコンパクトディスク取り出し用の窪み部を連設し、前記表層は前記中間層の表面に重合され、その前記収納槽及び窪み部と対応する位置に開口部を穿設し、該開口部の前記窪み部と逆側の周縁には、前記収納槽の上方をその面積の１／２〜１／４に亘って覆う支持片を設けたオーディオブック用コンパクトディスクホルダ。
【請求項２】
前記表層に、前記底板の下方に配置される折返片を連設した請求項１に記載のオーディオブック用コンパクトディスクホルダ。
【請求項３】
前記支持片の先端に、折り目を介して内側上方へ傾斜するガイド部を形成した請求項１又は２に記載のオーディオブック用コンパクトディスクホルダ。
【請求項４】
前記窪み部と略逆側において、前記収納槽の周縁に他の窪み部を形成し、該他の窪み部の入口両側を周方向よりもやや内側へ向けて、且つ、互いに接近する方向へ延伸して一対の突出部を形成した請求項１乃至３のいずれかに記載のオーディオブック用コンパクトディスクホルダ。
【考案の詳細な説明】
【技術分野】
【０００１】
本考案は、複数の紙片を積層すると共に、その一側縁を固定して成るオーディオブックの表紙又はページ部を構成するオーディオブック用コンパクトディスクホルダに関する。
【背景技術】
【０００２】
マルチメディア技術の発達と、光学保存技術の進歩により、各種映像音声情報をコンパクトディスクに記録できるようになっている。例えば、ＭＰＥＧ１データ形式を記録可能なＶＣＤや、ＭＰＥＧ２データ形式記録可能なＤＶＤ、一般の音楽の記録に用いるＣＤ−ＤＡ等がある。
このようなコンパクトディスクによる情報記録に対応して、ＤＶＤプレイヤ、ＶＣＤプレイヤ、ＣＤプレイヤ、携帯式ＣＤプレイヤなど、テレビ、投影機、スピーカと接続可能な再生装置がある。さらに、ＣＤ−ＲＯＭドライブは、パーソナルコンピュータの標準装備となっており、コンパクトディスクは、現代生活に欠かせないものとなっている。
【０００３】
コンパクトディスクは、映画やテレビ、オペラ、音楽会、歌謡曲、教育ビデオ等、各種の異なる映像音声プログラムの保存媒体として大量に生産されているため、その保管装置や包装形態も、消費グループと使用目的により多様化している。例えば、簡単な紙片状の袋や、プラスチック製のＣＤケース、コンパクトディスクの内容に合わせ書籍状に印刷されたＣＤホルダ（オーディオブック）等がある。
この内、オーディオブックと称されるＣＤホルダは、書籍状の形態をなし、環境問題に対する配慮が欠け、製造に手間がかかり、利便性にも問題があった。
【０００４】
従来の書籍状ＣＤホルダ（オーディオブック）は、図１に示すように、書籍状に形成した本体１の表紙２又はページ部上に、コンパクトディスク３の外形と厚みよりも若干大きい外周及び深さを有する収納槽４が形成され、収納槽４内にコンパクトディスク３を収納するようになっている。
収納槽４は、その周縁に少なくとも一つの窪み部５を備え、コンパクトディスク３が収納槽４に収納されているとき、窪み部５を利用してコンパクトディスク３の周縁部に力を加え、コンパクトディスク３を取り出すことができる。また、収納槽４の中央に爪状の突起６を設け、この突起６がコンパクトディスク３の中心孔７の内周に係合することによりコンパクトディスク３を保持して、ＣＤホルダを移動したり、開いて閲覧する際に、内部に収納されたコンパクトディスク３が脱落するのを防いでいる。
【０００５】
コンパクトディスク３は爪状の突起６によって保持されているので、突起６の素材は弾力性を有し、変形しにくいプラスチックである必要があり、その構造は、多少の違いはあるものの、コンパクトディスク３の内周部に引っ掛かるようになっている。
このような突起６は、コンパクトディスク３を確実に保持できるものの、先ず突起６を変形させてコンパクトディスク３との係合を解除してからでなくては、コンパクトディスク３を取り出すことができないので、不便である。
また、本体１は、編集・印刷を施した紙を装丁して成るため、突起６は本体１の装丁が完了し収納槽４を形成した後に、収納槽４の中心位置に接着しなければならず、しかも、コンパクトディスク３を収納槽４に収納するためには、突起６の接着位置にずれがあってはならず、このため、製造に手間がかかるばかりか、廃棄時にプラスチック製突起６の分別回収が困難である。加えて、収納槽４の中心に接着された突起６は、繰り返し使用する間に剥がれて脱落しやすい。
【考案の開示】
【考案が解決しようとする課題】
【０００６】
本考案が解決しようとする課題は、ＣＤを出し入れしやすく、構造が簡単で容易に製造でき、環境問題に配慮したオーディオブック用コンパクトディスクホルダを提供することにある。
【課題を解決するための手段】
【０００７】
本考案のオーディオブック用コンパクトディスクホルダは、複数の紙片を積層すると共に、その一側縁を固定して成るオーディオブックの表紙又はページ部を構成するものであって、それぞれ紙を素材とする底板、中間層及び表層を備え、前記中間層はコンパクトディスクよりもやや厚く形成されて、前記底板の表面に重合され、該中間層にコンパクトディスクよりもやや径大の収納槽を形成すると共に、該収納槽の周縁にコンパクトディスク取り出し用の窪み部を連設し、前記表層は前記中間層の表面に重合され、その前記収納槽及び窪み部と対応する位置に開口部を穿設し、該開口部の前記窪み部と逆側の周縁には、前記収納槽の上方をその面積の１／２〜１／４に亘って覆う支持片を設けてある。
【０００８】
前記表層に、前記底板の下方に配置される折返片を連設しても良い。
前記支持片の先端に、折り目を介して内側上方へ傾斜するガイド部を形成することもできる。
前記窪み部と略逆側において、前記収納槽の周縁に他の窪み部を形成し、該他の窪み部の入口両側を周方向よりもやや内側へ向けて、且つ、互いに接近する方向へ延伸して一対の突出部を形成しても良い。
【考案の効果】
【０００９】
本考案によれば、プラスチック製の突起を用いず、表層に設けた支持片でコンパクトディスクを支持しているので、全体が紙素材となって分別回収しやすく環境を損なう心配が無く、また、製造時に正確な位置に突起を取り付ける必要が無く、コンパクトディスクを出し入れする際に、コンパクトディスクと突起を係合させたり、係合を解除する手間が省けて便利である。
【考案を実施するための最良の形態】
【００１０】
以下、本考案の実施例を図面に基づいて詳細に説明する。
【実施例１】
【００１１】
図２乃至図５は、本考案の実施例１を示す。
このコンパクトディスクホルダは、複数の紙片を積層すると共に、その一側縁を固定して成るオーディオブックのページ部を構成し、図２及び図３に示すように、底板１０、中間層２０及び表層３０を備える。底板１０、中間層２０及び表層３０は、全て紙を素材とする。
底板１０と中間層２０は、ほぼ同形状に形成され、底板１０の表面に中間層２０が重合される。中間層２０はコンパクトディスク４０より若干厚く、中間層２０には、コンパクトディスク４０の径よりもやや径大の収納槽２１が穿設されている。また、収納槽２１の周縁には、コンパクトディスク４０を取り出す際の手がかりとなる窪み部２２が連設される。
【００１２】
表層３０は、中間層２０の表面に重合され、その一側には底板１０の裏面に重合される折返片３３が連設される。
また、表層３０において、収納槽２１及び窪み部２２と対応する位置には開口部３１が形成され、開口部３１の窪み部２２と逆側の周縁には、内側へ向けて支持片３２が一体に張り出している。支持片３２の面積は、収納槽２１の面積の１／４〜１／２程度とし、収納槽２１の一部を覆っている。
そして、表層３０に連続した折返片３３、底板１０、中間層２０及び表層３０が下からこの順に積層されて互いに接着される。
【００１３】
コンパクトディスク４０を傾斜させて、表層３０の支持片３２で被覆されていない開口部３１を通し、中間層２０の収納槽２１に挿入して底板１０上に平らに載置すると、図４に示すように、コンパクトディスク４０は下方から底板１０で支持され、上方から表層３０の支持片３２で抑えられて、コンパクトディスクホルダ内に脱落することなく収納することができる。
また、支持片３２と逆側に形成された窪み部２２を利用し、図５に示すように、コンパクトディスク４０の縁部を押し上げて傾斜させると、開口部３１を通してコンパクトディスク４０を収納槽２１から取り出すことができる。
なお、支持片３２の先端には、折り目３４を介して内側上方へ傾斜するガイド部を、先端縁の全長に沿って形成してあるので、コンパクトディスク４０を出し入れしやすく、支持片３２の破損を防止できる。
【実施例２】
【００１４】
図６は、オーディオブックの表紙となるコンパクトディスクホルダである実施例２を示す。
このコンパクトディスクホルダでは、底板１０、中間層２０及び表層３０が接着されてオーディオブックの表紙を構成し、表層３０が表紙の表面となっている。また、表層３０に連設された折返片３３が、底板１０の下方においてオーディオブックの裏面に接着され、裏表紙となっている。
その他の構成は、実施例１と同様なので、同一部分に同一符号を付して、詳細な説明を省略する。
【実施例３】
【００１５】
図７及び図８は、本考案の実施例３を示す。
収納槽２１の周縁において窪み部２２と略逆側に、他の窪み部２３を形成し、他の窪み部２３の入口両側を周方向よりもやや内側へ向けて、且つ、互いに接近する方向へ延伸して、一対の突出部２４を形成してある。
コンパクトディスク４０を表層３０の開口部３１から収納槽２１へ収納すると、突出部２４が他の窪み部２３の奥方へ押され、この変形した状態でコンパクトディスク４０の周縁を支持する。そして、コンパクトディスク４０を取り出す時には、突出２４が元の位置に復帰しようとする弾性回復力によりコンパクトディスク４０が窪み２２方向へ押圧されるので、簡単に取り出すことができる。
その他の構成は、実施例１とほぼ同様である。
なお、上記実施例１乃至実施例３において、表層３０には折返片３３を設けなくても良い。
【図面の簡単な説明】
【００１６】
【図１】従来のオーディオブック用コンパクトディスクホルダの斜視図。
【図２】実施例１を示すオーディオブック用コンパクトディスクホルダの分解斜視図。
【図３】実施例１を示すオーディオブック用コンパクトディスクホルダのコンパクトディスク収納状態の斜視図。
【図４】実施例１を示すオーディオブック用コンパクトディスクホルダのコンパクトディスク収納状態の断面図。
【図５】実施例１を示すオーディオブック用コンパクトディスクホルダのコンパクトディスク出し入れ時の斜視図。
【図６】実施例２を示すオーディオブック用コンパクトディスクホルダの分解斜視図。
【図７】実施例３を示すオーディオブック用コンパクトディスクホルダの分解斜視図。
【図８】実施例３に係る内層及びコンパクトディスクの平面図。
【符号の説明】
【００１７】
１０  底板
２０  中間層
２１  収納槽
２２  窪み部
２３  他の窪み部
２４  突出部
３０  表層
３１  開口部
３２  支持片
３３  折返片
３４  折り目
４０  コンパクトディスク
【図１】
0003103110.tif 000003
【図２】
0003103110.tif 000004
【図３】
0003103110.tif 000005
【図４】
0003103110.tif 000006
【図５】
0003103110.tif 000007
【図６】
0003103110.tif 000008
【図７】
0003103110.tif 000009
【図８】
0003103110.tif 000010